(57)【特許請求の範囲】
【請求項１】
側板（２１）及び背板（１５）を含む筐体（１２）と、この筐体（１２）内に配設され、前記側板（２１）及び背板（１５）に沿って平面視で略Ｌ字形状に屈曲して配設された熱交換器（６６）とを備えた空気調和装置用室外機（１１）において、前記側板（２１）及び前記背板（１５）の少なくとも一方に設けられた複数の吸込口（２７）に取り付け可能であり、前記室外機（１１）の運搬時に作業者が把持するための室外機用取っ手であって、
各吸込口（２７）に嵌め込み可能であり、嵌め込まれた吸込口（２７）の周縁部のうちの少なくとも上縁部（２７ａ）及び側縁部（２７ｂ，２７ｃ）に対向する対向部（３３ａ，３３ｂ，３３ｃ）を有し、嵌め込まれた吸込口（２７）に対する上方及び側方への相対移動を規制する嵌合部（３３）と、
前記嵌合部（３３）の手前側の周縁から前記嵌合部（３３）の周囲に張り出して前記筐体（１２）の外表面に当接するフランジ部（３５）と、
前記フランジ部（３５）よりも奥側に凹む凹部（４７）を含み、前記作業者が把持可能な把持部（３７）と、
各吸込口（２７）の前記周縁部に係合可能な係止部（３２）と、
前記凹部（４７）に着脱可能な着脱部材（８１）と、を備え、
前記凹部（４７）の奥行きは、その幅方向（Ｗ）の一方側の部位（４７ｃ）よりも前記幅方向（Ｗ）の他方側の部位（４７ｄ）の方が大きく、前記熱交換器（６６）の前記屈曲した部分の湾曲形状に沿うように前記一方側の部位（４７ｃ）から前記他方側の部位（４７ｄ）に向かうにつれて増加しており、
前記着脱部材（８１）は、
前記着脱部材（８１）が前記凹部（４７）に取り付けられたときに前記凹部（４７）の奥行きを小さくする閉塞部（８３）と、
前記閉塞部（８３）を支持して前記閉塞部（８３）の奥側への移動を規制する延設部（８５）と、を有する室外機用取っ手。
【請求項２】
前記把持部（３７）の前記凹部（４７）は、前記手前側から前記奥側に向かうにつれて上方に傾斜している、請求項１に記載の室外機用取っ手。
【請求項３】
前記フランジ部（３５）に囲まれた領域には通風口（５１）が設けられており、前記通風口（５１）は、補強用の複数の支柱（５３）によって仕切られている、請求項１又は２に記載の室外機用取っ手。
【請求項４】
前記係止部（３２）は、前記嵌合部（３３）の一部が切り欠かれて形成された撓み変形可能な撓み部（３２ａ）と、この撓み部（３２ａ）の先端に設けられ、前記吸込口（２７）の前記周縁部に係合可能な引掛部（３２ｂ）とを有している、請求項１〜３のいずれか１項に記載の室外機用取っ手。
【請求項５】
前記着脱部材（８１）は、前記凹部（４７）から取り外すときに前記作業者が摘むことが可能な貫通孔（８１ａ）を有している、請求項１〜４のいずれか１項に記載の室外機用取っ手。
【請求項６】
複数の吸込口（２７）を有する筐体（１２）と、
前記筐体（１２）内に前記複数の吸込口（２７）に沿って配置された熱交換器（６６）と、
前記複数の吸込口（２７）から選択された吸込口（２７）に取り付け位置を変更可能な請求項１〜５のいずれかに記載の室外機用取っ手（３１）と、を備えた室外機。
【発明の詳細な説明】
【技術分野】
【０００１】
本発明は、空気調和装置の室外機用取っ手及びこれを備えた室外機に関するものである。
【背景技術】
【０００２】
一般に、空気調和装置の室外機は、直方体形状の筐体内に熱交換器、圧縮機、送風機などの各種部品が収容されている。前記筐体は、例えば前板に吹出口が設けられ、背板や側板に複数の吸込口が設けられている。前記熱交換器は、例えば前記背板や側板に沿って配置されている。前記送風機が駆動すると、空気は、前記複数の吸込口を通じて前記筐体内に吸い込まれ、熱交換器を通過して前板の吹出口から吹き出される。
【０００３】
また、室外機には、この室外機を運搬する際に作業者が把持する複数の取っ手が設けられている。これらの取っ手は、前板、背板及び側板などの板金に設けられた開口部に嵌め込まれるか、又は前記背板や側板に設けられた前記吸込口の一部を利用してこの吸込口に嵌め込まれる。
【０００４】
特許文献１には、筐体の一方の側板に設けられた複数の吸込口の一つを、取っ手の嵌合用として用いた室外機が開示されている。しかし、この特許文献１の室外機では、取っ手が側板の吸込口の一部を塞ぐことになるので、その分だけ熱交換の効率が低下する。
【０００５】
特許文献２には、上下２段に分割された熱交換器を有し、これらの熱交換器の間の空間を利用して取っ手が設けられた室外機が開示されている。また、特許文献３には、筐体の側板と天板とにより取っ手の一部が挟持されることにより、取っ手が筐体に取り付けられる構造を有する室外機が開示されている。
【０００６】
特許文献２及び特許文献３の室外機では、取っ手が吸込口以外の部位に設けられているので、熱交換の効率に対する取っ手の影響は特許文献１の室外機に比べて小さいと考えられる。
【先行技術文献】
【特許文献】
【０００７】
【特許文献１】特開２００６−２８４０４３号公報
【特許文献２】特開２００７−３３３２５５号公報
【特許文献３】特開２００９−１５６５５６号公報
【発明の概要】
【発明が解決しようとする課題】
【０００８】
しかしながら、室外機を運搬する作業者の体格は千差万別であり、特許文献２及び特許文献３の取っ手が設けられている位置が必ずしも作業者にとって作業しやすいとは限らない。
【０００９】
そこで、本発明は、かかる点に鑑みてなされたものであり、その目的とするところは、熱交換の効率の低下を抑制でき、しかも運搬時の作業性に優れた室外機用取っ手及びこれを備えた空気調和装置用室外機を提供することにある。
【課題を解決するための手段】
【００１０】
本発明の室外機用取っ手（３１）は、側板（２１）及び背板（１５）を含む筐体（１２）と、この筐体（１２）内に配設され、前記側板（２１）及び背板（１５）に沿って平面視で略Ｌ字形状に屈曲して配設された熱交換器（６６）とを備えた空気調和装置用室外機（１１）において、前記側板（２１）及び前記背板（１５）の少なくとも一方に設けられた複数の吸込口（２７）に取り付け可能であり、前記室外機（１１）の運搬時に作業者が把持するためのものである。
【００１１】
この室外機用取っ手（３１）は、嵌合部（３３）と、フランジ部（３５）と、把持部（３７）と、係止部（３２）とを備えている。前記嵌合部（３３）は、各吸込口（２７）に嵌め込み可能であり、嵌め込まれた吸込口（２７）の周縁部のうちの少なくとも上縁部（２７ａ）及び側縁部（２７ｂ，２７ｃ）に対向する対向部（３３ａ，３３ｂ，３３ｃ）を有し、嵌め込まれた吸込口（２７）に対する上方及び側方への相対移動を規制する。前記フランジ部（３５）は、前記嵌合部（３３）の手前側の周縁から前記嵌合部（３３）の周囲に張り出して前記筐体（１２）の外表面に当接する。前記把持部（３７）は、前記フランジ部（３５）よりも奥側に凹む凹部（４７）を含み、前記作業者が把持可能である。前記係止部（３２）は、各吸込口（２７）の前記周縁部に係合可能である。
【００１２】
前記凹部（４７）の奥行きは、その幅方向（Ｗ）の一方側の部位（４７ｃ）よりも前記幅方向（Ｗ）の他方側の部位（４７ｄ）の方が大きく、前記熱交換器（６６）の前記屈曲した部分の湾曲形状に沿うように前記一方側の部位（４７ｃ）から前記他方側の部位（４７ｄ）に向かうにつれて増加している。
【００１３】
この構成では、各吸込口（２７）に嵌め込み可能な前記嵌合部（３３）を有し、各吸込口（２７）の前記周縁部に係合可能な前記係止部（３２，３４）を備えているので、作業者が複数の吸込口（２７）から自分に適した取っ手（３１）の取り付け位置を選択して自由に変更することができる。しかも、室外機（１１）の運搬作業が完了した後には、室外機用取っ手（３１）を吸込口（２７）から取り外して別の場所に保管しておくか、又は複数の吸込口（２７）のうち、熱交換の効率に与える影響が小さい吸込口（２７）（例えば四隅のいずれかの吸込口（２７）など）に室外機用取っ手（３１）の取り付け位置を変更することができる。これにより、運搬時の作業性を向上させることができ、しかも、熱交換の効率の低下を抑制できる。
【００１４】
また、一般に、室外機は、小型化することが求められているので、筐体とこの筐体内に収容された機器との隙間は小さい。したがって、取っ手の奥行きは、前記隙間の大きさに応じて小さくなる。そこで、本構成では、前記凹部（４７）の奥行きを、熱交換器（６６）の前記屈曲した部分の湾曲形状に沿うように、幅方向（Ｗ）の前記一方側の部位（４７ｃ）から前記他方側の部位（４７ｄ）に向かうにつれて増加させている。これにより、筐体（１２）の側板（２１）及び背板（１５）と熱交換器（６６）との隙間を有効利用して、前記凹部（４７）の奥行きを大きくすることができるので、作業者は、従来に比べて把持部（３７）をより安定して把持することができる。
【００１５】
また、前記室外機用取っ手（３１）は、前記凹部（４７）に着脱可能な着脱部材（８１）を備えている。前記着脱部材（８１）は、前記着脱部材（８１）が前記凹部（４７）に取り付けられたときに前記凹部（４７）の奥行きを小さくする閉塞部（８３）と、前記閉塞部（８３）を支持して前記閉塞部（８３）の奥側への移動を規制する延設部（８５）と、を有する。
【００１６】
例えば、室外機が製造された後、ユーザーに届くまでの流通段階において、室外機が倉庫などに一時的に保管されている場合に、この倉庫内において作業者が室外機の位置を移動させることがしばしばある。図１２は、倉庫内においてパレット（９１）上に載置された複数の室外機（１１）を示す側面図であり、倉庫内での保管状態の一例を示している。通常、室外機（１１）を移動させる場合には、種々の運搬用の機器が用いられる。しかし、移動距離が短い場合などにおいては、作業者は、吸込口（２７）に嵌め込まれた取っ手（３１）を把持して室外機を横方向（略水平方向）、すなわち図１２の手前側の方向に引っ張る（引きずる）動作を行うことによって室外機を移動させることがある。室外機（１１）の筐体（１２）は、通常、板金により形成されているので、前記動作のように取っ手（３１）が把持されて横方向に引かれると、筐体（１２）の一部が僅かに変形することがある。
【００１７】
そこで、この構成では、凹部（４７）に着脱可能であり、凹部（４７）に取り付けられたときに凹部（４７）の奥行きを小さくする着脱部材（８１）を備えている。したがって、上記の例示のように、作業者が取っ手（３１）を把持して横方向に引く動作をする可能性がある流通段階においては、着脱部材（８１）を凹部（４７）に取り付けておくことにより、室外機を横方向に引っ張る作業者の動作を抑制することができる。すなわち、着脱部材（８１）が凹部（４７）に取り付けられると、凹部（４７）の奥行きが小さくなり、作業者が取っ手（３１）を把持しにくくなるとともに、着脱部材（８１）が凹部（４７）に取り付けられていることにより取っ手（３１）を把持することを抑制する効果が視覚的にも得られる。
【００１８】
また、前記把持部（３７）の前記凹部（４７）は、前記手前側から前記奥側に向かうにつれて上方に傾斜しているのが好ましい。
【００１９】
この構成では、前記凹部（４７）が前記手前側から前記奥側に向かうにつれて上方に傾斜しているので、傾斜していない場合と比べて凹部（４７）の凹み寸法を大きくすることができる。しかも、前記凹部（４７）は上方に傾斜しているので、運搬時に指が引っかかりやすくなり、前記凹部（４７）から抜けにくくなる。これにより、作業者は、把持部（３７）をさらに安定して把持することができる。
【００２０】
また、前記フランジ部（３５）に囲まれた領域には通風口が設けられており、前記通風口は、補強用の複数の支柱によって仕切られていてもよい。
【００２１】
この構成では、フランジ部（３５）に囲まれた領域に通風口を設けているので、この通風口を吸込口（２７）の一部として機能させることができる。したがって、室外機（１１）の運搬作業の完了後、室外機用取っ手（３１）を複数の吸込口（２７）のうちのいずれかに取り付けておく場合であっても、室外機用取っ手（３１）によって塞がれる吸込口（２７）の面積をより小さくすることができる。これにより、熱交換の効率の低下を抑制できる。しかも、通風口には補強用に複数の支柱が設けられているので、通風口を設けたことに起因する室外機用取っ手（３１）の強度低下を抑制することもできる。
【００２２】
例えば、前記係止部（３２）は、前記嵌合部（３３）の一部が切り欠かれて形成された撓み変形可能な撓み部（３２ａ）と、この撓み部（３２ａ）の先端に設けられ、前記吸込口（２７）の前記周縁部に係合可能な引掛部（３２ｂ）とを有していてもよい。
【００２３】
この構成では、前記係止部（３２）が嵌合部（３３）の一部が切り欠かれて形成された前記撓み部（３２ａ）と、この先端に設けられた前記引掛部（３２ｂ）とを有しているので、室外機用取っ手（３１）の嵌合部（３３）を吸込口（２７）に嵌め込む際に、室外機用取っ手（３１）を奥側に押し込むだけで撓み部（３２ａ）が撓んで引掛部（３２ｂ）を吸込口（２７）の周縁部に容易に係合させることができる。
【００２４】
また、前記着脱部材（８１）は、前記凹部（４７）から取り外すときに前記作業者が摘むことが可能な貫通孔（８１ａ）を有しているのが好ましい。
【００２５】
この構成では、作業者が室外機（１１）を持ち上げて運搬する必要がある作業時においては、作業者は、着脱部材（８１）の貫通孔（８１ａ）に指先の一部を挿入して貫通孔（８１ａ）及びその近傍を摘んで着脱部材（８１）を手前に引き出すことにより、凹部（４７）に取り付けられている着脱部材（８１）を簡単に取り外すことができる。着脱部材（８１）が凹部（４７）から取り外されると、凹部（４７）は、室外機（１１）を持ち上げて運搬する際に必要な奥行きが再び確保されるので、作業者は、室外機（１１）を安定して運搬することができる。
【００２６】
本発明の室外機（１１）は、複数の吸込口（２７）を有する筐体（１２）と、前記筐体（１２）内に前記複数の吸込口（２７）に沿って配置された熱交換器と、前記複数の吸込口（２７）から選択された吸込口（２７）に取り付け位置を変更可能な前記室外機用取っ手（３１）と、を備えている。
【発明の効果】
【００２７】
以上説明したように、本発明によれば、熱交換の効率の低下を抑制でき、しかも運搬時の作業性に優れた室外機用取っ手及びこれを備えた空気調和装置用室外機を提供することができる。
【図面の簡単な説明】
【００２８】
【図１】空気調和装置用室外機を正面側から見たときの斜視図である。
【図２】前記空気調和装置用室外機を背面側から見たときの斜視図である。
【図３】前記空気調和装置用室外機の内部構造を示す平面図である。
【図４】前記室外機用取っ手を室外機本体の側板に取り付けた状態を示す斜視図である。
【図５】前記室外機用取っ手を示す正面図である。
【図６】前記室外機用取っ手を示す背面図である。
【図７】前記室外機用取っ手を示す平面図である。
【図８】前記室外機用取っ手を示す側面図である。
【図９】（ａ）及び（ｂ）は、前記室外機用取っ手の係止部を示す側面図である。
【図１０】（ａ）は、前記室外機用取っ手の実施形態を示す正面図であり、（ｂ）は、この室外機用取っ手に着脱部材を取り付ける動作を示す斜視図である。
【図１１】（ａ）は、前記室外機用取っ手に前記着脱部材を取り付けた状態を示す平面図であり、（ｂ）は、その正面図である。
【図１２】パレット上に載置された複数の室外機を示す側面図である。
【発明を実施するための形態】
【００２９】
以下、本発明の一実施形態にかかる室外機用取っ手及びこれを備えた室外機について図面を参照しながら詳細に説明する。
【００３０】
＜室外機＞
まず、室外機１１の全体構造について説明する。図１〜３に示すように、室外機１１は、筐体１２と、この筐体１２内に収容された熱交換器６６、圧縮機７０、送風機６８などの各種機器とを備えている。筐体１２は、前板１３、背板１５、天板１７、底板１８、及び一対の側板１９，２１を有する直方体形状を有している。
【００３１】
図３に示すように、筐体１２内には、この筐体１２の底板１８に対して略垂直に立設された仕切板６４が設けられている。この仕切板６４によって筐体１２内の空間が送風機室Ｓ１と機械室Ｓ２とに仕切られている。送風機室Ｓ１内には熱交換器６６と送風機６８とが配置されている。機械室Ｓ２内には、圧縮機７０、アキュムレータ７２、電装品箱７４及びその他の部品が配置されている。
【００３２】
熱交換器６６は、送風機室Ｓ１内において略Ｌ字形状に屈曲して筐体１２の側板２１及び背板１５に沿って配置されている。送風機６８は、モータ６８ａと、このモータ６８ａの駆動によって回転するファン６８ｂとを有している。モータ６８ａは、送風機室Ｓ１の略中央に設置されており、ファン６８ｂは、モータ６８ａに対して筐体１２の前板１３側に配置されている。
【００３３】
筐体１２の前板１３には、図略の吹出口が設けられており、この吹出口には吹出グリル２３が取り付けられている。送風機室Ｓ１内において吹出口の周囲はベルマウス６３によって囲まれている。そして、このベルマウス６３内にファン６８ｂの一部が嵌り込んでいる。
【００３４】
図２に示すように、筐体１２の背板１５には、送風機室Ｓ１に対応する部位に、複数の背面吸込口２５が設けられている。筐体１２の一方の側板２１には、複数の側面吸込口２７が設けられている。複数の背面吸込口２５及び複数の側面吸込口２７は、全て同じ形状である。図４に示すように、各側面吸込口２７は、上縁部２７ａ、一対の側縁部２７ｂ，２７ｃ及び下縁部２７ｄからなる周縁部により構成される略矩形状の開口である。各背面吸込口２５も同様に上縁部、一対の側縁部及び下縁部からなる周縁部により構成される略矩形状の開口である。
【００３５】
送風機６８のモータ６８ａが駆動してファン６８ｂが回転することによって、背面吸込口２５及び側面吸込口２７を通じて送風機室Ｓ１内に外気が吸い込まれる。吸い込まれた外気は、熱交換器６６を通過する際に冷媒との間で熱交換され、前板１３の前記吹出口を通じて外部へ吹き出される。
【００３６】
図４に示すように、室外機１１は、この室外機１１の運搬時に作業者が把持するための室外機用取っ手３１を備えている。図２に示すように、この取っ手３１は、複数の側面吸込口２７から選択された側面吸込口２７に取り付け位置を変更可能である。室外機用取っ手３１の取り付け位置は、図２に示すＡ列に沿って縦に並ぶ複数の側面吸込口２５から選択可能である。また、図１及び図２に示すように、室外機１１は、前板１３に取っ手４１を備え、背板４３に取っ手４３を備えている。これらの取っ手４１，４３は、前板１３の板金及び背板１５の板金に固定された位置変更できないものである。
【００３７】
＜室外機用取っ手＞
次に、室外機用取っ手３１について詳細に説明する。図４〜８に示すように、取っ手３１は、嵌合部３３と、フランジ部３５と、把持部３７と、係止部３９とを備えている。
【００３８】
嵌合部３３は、Ａ列の各側面吸込口２７に嵌め込み可能な形状を有している。この嵌合部３３は、側面吸込口２７の前記周縁部の形状とほぼ同形状の外形を有している。嵌合部３３は、後述するフランジ部３５よりも奥側に突出した形状を有している。嵌合部３３は、側面吸込口２７の上縁部２７ａに対向する上部対向面（対向部）３３ａと、側面吸込口２７の一対の側縁部２７ｂ，２７ｃにそれぞれ対向する側部対向面（対向部）３３ｂ，３３ｃと、側面吸込口２７の下縁部２７ｄに対向する下部対向面３３ｄとを有している。
【００３９】
嵌合部３３を側面吸込口２７に嵌合させた状態では、上部対向面３３ａは、側面吸込口２７の上縁部２７ａに当接又は近接し、取っ手３１が側面吸込口２７に対して上方へ移動するのを規制する。また、側部対向面３３ｂ，３３ｃは、側面吸込口２７の一対の側縁部２７ｂ，２７ｃに当接又は近接し、取っ手３１が側面吸込口２７に対して両側の側方への移動するのを規制する。
【００４０】
下部対向面３３ｄは、奥行き方向に向かうにつれて上方に傾斜している。この下部対向面３３ｄの傾斜角度は、後述する凹部４７の上面４７ｂの傾斜角度とほぼ同じである。この下部対向面３３ｄには、幅方向に並ぶ複数のリブ３３ｅが設けられている。各リブ３３ｅの下面は、側面吸込口２７の下縁部２７ｄに当接又は近接し、取っ手３１が側面吸込口２７に対して下方へ移動するのを規制する。
【００４１】
また、上部対向面３３ａには係止部３２が設けられており、下部対向面３３ｄには３つの係止部３４が設けられている。図６、図７及び図９（ａ）に示すように、係止部３２は、上部対向面３３ａの一部が切り欠かれて形成された撓み変形可能な撓み部３２ａと、この撓み部３２ａの先端に設けられ、この先端から上方に鉤状に折れ曲がった引掛部３２ｂとを有している。この引掛部３２ｂが側面吸込口２７の上縁部２７ａに引っ掛けられて係止部３２が上縁部２７ａに係合する。これにより、係止部３２は、撓み部３２ａを撓み変形させて各側面吸込口２７の上縁部２７ａに係合可能で、かつ、撓み部３２ａを撓み変形させて上縁部２７ａとの前記係合を解除可能である。
【００４２】
また、図６及び図９（ｂ）に示すように、各係止部３４は、下部対向面３３ｄから奥行き方向に延び、下方に鉤状に折れ曲がった形状を有している。各係止部３４には、係止部３２のような切り欠きは設けられていないので、係止部３２のようには大きく撓まないが、各係止部３４の厚み、材料などを適宜選定することによって撓み変形可能な構成とすることもできる。
【００４３】
フランジ部３５は、嵌合部３３の手前側の周縁から嵌合部３３の周囲に張り出している。フランジ部３５は、上部フランジ部３５ａと、一対の側部フランジ部３５ｂ，３５ｃと、下部フランジ部３５ｄとからなる。このフランジ部３５は、略矩形状の外形を有し、側面吸込口２７の開口領域よりも縦横の寸法が大きい。したがって、フランジ部３５は、嵌合部３３を側面吸込口２７に嵌合したときに筐体１２の外表面に当接して、取っ手３１がそれ以上奥側に移動しないように規制する役割を果たす。
【００４４】
把持部３７は、フランジ部３５よりも手前側に突出する凸部４５及びフランジ部３５よりも奥側に凹む凹部４７を含む。
【００４５】
図５、図７及び図８に示すように、凸部４５は、凹部４７の開口の上部に位置し、取っ手３１の幅方向Ｗに延びて幅よりも厚みの小さい扁平な形状を有し、フランジ部３５から下方に傾斜しながら手前側に延設されている。この凸部４５の上面にはフランジ部３５の前面との間に跨る補強用の複数のリブ４９が設けられている。
【００４６】
図５〜図８に示すように、凹部４７は、取っ手３１の幅方向Ｗの一方の端部近傍から他方の端部近傍に至る開口を有し、奥行き方向に凹んだ形状を有している。図８に示すように、この凹部４７は、手前側から奥側に向かうにつれて上方に傾斜している。この凹部４７の上面４７ｂの傾斜角度は、前述した嵌合部３３の下部対向面３３ｄの傾斜角度とほぼ同じである。これにより、例えば取っ手３１を射出成形などの方法を用いて成形する場合に、金型から取り出しやすくなる。
【００４７】
また、図７に示すように、凹部４７の奥行きは、その幅方向Ｗの一方側（図５の右側）の部位４７ｃよりも幅方向Ｗの他方側（図５の左側）の部位４７ｄの方が大きい。前述したように熱交換器６６は、送風機室Ｓ１内において側板２１及び背板１５に沿って略Ｌ字形状に屈曲して配置されている。図３に示すように、凹部４７の奥側の外表面４７ａは、熱交換器６６の前記屈曲した部分の湾曲形状に沿った湾曲形状を有している。すなわち、凹部４７の奥行きは、熱交換器６６の屈曲した部分の湾曲形状に沿うように一方側の部位４７ｃから他方側の部位４７ｄに向かうにつれて増加している。
【００４８】
フランジ部３５に囲まれた領域のうち、凹部４７の下方には通風口５１が設けられており、通風口５１は、補強用の複数の支柱５３によって複数の領域に仕切られている。
【００４９】
取っ手３１を構成する材料としては、特に限定されないが、合成樹脂、金属などを用いることができる。
【００５０】
＜運搬方法＞
次に、室外機１１の運搬方法について説明する。室外機１１を二人で運搬する場合を例に挙げる。まず、一方の作業者は、Ａ列の複数の側面吸込口２７の一つに取り付けられた取っ手３１をその側面吸込口２７から取り外す。
【００５１】
取っ手３１を側面吸込口２７から取り外す際には、作業者は、把持部３７を把持して取っ手３１に上方への力を加える。そうすると、取っ手３１の上部対向面３３ａが側面吸込口２７の上縁部２７ａに当接する。このとき、取っ手３１及び／又は側面吸込口２７の周縁部がわずかに弾性変形するので、取っ手３１の下部対向面３３ｄに設けられた係止部３４と、側面吸込口２７の下縁部２７ｄとの間の隙間が広がるので、係止部３４と下縁部２７ｄとの係合が解除され、取っ手３１の下部を手前に引き出すことができる。最後に、取っ手３１を斜め下方に手前側に引き出せば、取っ手３１を側面吸込口２７から取り外すことができる。
【００５２】
ついで、作業者は、Ａ列の複数の側面吸込口２７から自分に適した高さの側面吸込口２７を選択し、選択された側面吸込口２７に取っ手３１を取り付ける。
【００５３】
取っ手３１を側面吸込口２７に取り付ける際には、作業者は、把持部３７を把持して取っ手３１を側面吸込口２７側に移動させ、取っ手３１の下部対向面３３ｂと側面吸込口２７の下縁部２７ｄとが対向し、かつ、各係止部３４を下縁部２７ｄに係合させる。ついで、取っ手３１の上部を奥側に移動させると、係止部３２の奥側の面が上縁部２７ａの手前側の角部付近に当接する。そして、取っ手３１の上部をさらに奥側に押し込むと、引掛部３２ｂの上端が上縁部２７ａによって下方に押圧されるので、係止部３２の撓み部３２ａが撓んで引掛部３２ｂが下方に移動する。撓み部３２ａが撓んで引掛部３２ｂの上端が上縁部２７ａと同じ高さ又は上縁部２７ａよりも低い位置まで移動すると、取っ手３１の嵌合部３３を側面吸込口２７に押し込むことができる。フランジ部３５の奥側の面が筐体１２の側板２１の外面に当接すると、係止部３４の引掛部３２ｂを下方に抑える上縁部２７ａの押圧が解除されて撓み部３２ａが元の位置に戻る。これにより、係止部３２が上縁部２７ａに係合されて取っ手３１の取り付けが完了する。
【００５４】
そして、作業者は、この取っ手３１を片方の手で把持し、もう片方の手で例えば室外機の底板１８を持って室外機１１を運搬する。
【００５５】
図１０（ａ）は、取っ手３１の実施形態を示す正面図であり、図１０（ｂ）は、この取っ手３１に着脱部材８１を取り付ける動作を示す斜視図である。図１１（ａ）は、取っ手３１に着脱部材８１を取り付けた状態を示す平面図であり、図１１（ｂ）は、その正面図である。
【００５６】
図１０（ａ），（ｂ）に示すように、取っ手３１は、図５などに示す取っ手３１に設けられている通風口５１を有しておらず、通風口５１に対応する領域にも凹部４７が下方に延設されている。その他の部位は、図５に示す取っ手３１とほぼ同様の構成であるので、同じ符号を付してその説明を省略する。
【００５７】
図１０（ｂ）に示すように、取っ手３１は、着脱部材８１をさらに備えている。この着脱部材８１は、凹部４７に着脱可能であり、凹部４７に取り付けられたときに凹部４７の奥行きを小さくする。
【００５８】
着脱部材８１は、板状の閉塞部８３と、この閉塞部８３の側縁から延設された板状の延設部８５とを有し、平面視で略Ｌ字形状を有している。閉塞部８３及び延設部８５は、ともに略矩形状を有している。この着脱部材８１は、例えば段ボール、板金、樹脂板などを用いて成形することができる。着脱部材８１は、図１０（ｂ）に一点鎖線の矢印で示す方向に凹部４７内に挿入され、図１１（ａ），（ｂ）に破線で示す位置に配設される。
【００５９】
閉塞部８３は、その上下方向の寸法が凹部４７の上下方向の開口寸法とほぼ同じかそれよりも少し小さく、左右方向の寸法が凹部４７の左右方向の開口寸法よりも小さく、かつ、凹部４７の左右方向の開口寸法の半分よりも少し大きくなるように成形されている。これにより、着脱部材８１の閉塞部８３は、奥行きの大きな左側の部位４７ｄのほぼ全体を塞ぐことができる。
【００６０】
延設部８５は、凹部４７の左側の部位４７ｄの内側面に沿って配置されており、閉塞部８３を支持する役割を果たしている。これにより、着脱部材８１が凹部４７から脱落するのを抑制する。
【００６１】
また、図１１（ｂ）に示すように、閉塞部８３の右側の側縁付近には、凹部４７の右側の部位４７ｃとの間に跨るようにテープ８７が貼り付けられている。これにより、着脱部材８１が凹部４７から脱落するのをさらに抑制することができる。なお、このテープ８７の貼り付けは省略することもできる。
【００６２】
図１１（ａ），（ｂ）に示すように着脱部材８１が凹部４７に取り付けられると、凹部４７の奥行き、特に左側の部位４７ｄの奥行きが小さくなり、作業者が取っ手３１を把持しにくくなるとともに、着脱部材８１が凹部４７に取り付けられていることにより把持することを抑制する効果が視覚的にも得られる。図１１（ａ）に示すように、着脱部材８１が取り付けられた状態では、作業者の指先（第１関節よりも先）がかろうじて凹部４７に引っかかる程度にまで、凹部４７の奥行きが減少している。
【００６３】
着脱部材８１は、凹部４７から取り外すときに作業者が摘むことが可能な摘み部８１ａを有している。この摘み部８１ａは、閉塞部８３の中央付近に設けられた貫通孔である。この摘み部８１ａを構成する貫通孔の内径は、作業者の指の先端が引っかかる程度の大きさに調整されている。なお、摘み部８１ａは、例えば閉塞部８３などに切り欠きを入れて手前側に折り返した折り返し片などであってもよく、また、着脱部材８１に別途取り付けられた棒状、板状などの別部材により構成されていてもよい。
【００６４】
着脱部材８１を凹部４７から取り外す際には、作業者は、テープ８７を凹部４７から剥がした後、着脱部材８１を持って凹部４７から手前に引き出せばよい。凹部４７から着脱部材８１が取り外されると、凹部４７は、室外機１１を持ち上げて運搬する際に必要な奥行きが再び確保されるので、作業者は、室外機１１を安定して運搬することができる。
【００６５】
また、図５及び図１０（ａ）に示す取っ手３１の把持部３７は、前述したように、一方側の部位４７ｃから他方側の部位４７ｄに向かうにつれて奥行きが増加している凹部４７と、この凹部４７の開口の上部に位置し、上部フランジ部３５ａから手前側に延設されている凸部４５とを有している。したがって、この把持部３７は、室外機１１を上方に持ち上げて運搬する際には作業者が把持しやすく、室外機１１を横方向に引っ張る動作をしようとする際には作業者が把持しにくい形状を有している。
【００６６】
具体的には、室外機１１を上方に持ち上げて運搬する際には、作業者は、複数本の指を凹部４７の前記他方側の部位４７ｄに奥深く差し入れ、しかも凸部４５には複数本の指（例えば親指を除く４本の指）を引っ掛けた状態で取っ手３１を把持することができる。このように上方に力をかける場合には、作業者は、取っ手３１を安定して把持することができるので、室外機１１を安全に運搬することができる。
【００６７】
一方、室外機１１を横方向に引っ張るために作業者が取っ手３１を把持して横方向に力をかける場合、横方向の手前側に延びる凸部４５及び横方向の奥側に延びる凹部４７には作業者の指が引っかかりにくい。しかも、凹部４７の前記一方側の部位４７ｃの奥行きが小さいので、親指を除く４本の指のうちの２本程度は、前記一方側の部位４７ｃの上部に位置する凸部４５のみにかろうじて指先がかかる状態となる。したがって、横方向に力をかける場合には、凹部の奥行きが幅方向で一定な従来の取っ手に比べると、作業者が取っ手３１を把持しにくいので、仮に、着脱部材８１が取り付けられていない場合であっても、取っ手を把持して室外機１１を横方向に引きずるような動作がなされるのを抑制できる。
【００６８】
以上説明したように、室外機用取っ手３１は、各吸込口２７に嵌め込み可能な嵌合部３３を有し、撓み変形させて各吸込口２７の前記周縁部に係合可能な係止部３２を備えているので、作業者が複数の吸込口から自分に適した取っ手３１の取り付け位置を選択して自由に変更することができる。しかも、室外機１１の運搬作業が完了した後には、室外機用取っ手３１を吸込口２７から取り外して別の場所に保管しておくか、又は複数の吸込口２７のうち、熱交換の効率に与える影響が小さい吸込口（例えば四隅のいずれかの吸込口など）に室外機用取っ手３１の取り付け位置を変更することができる。これにより、運搬時の作業性を向上させることができ、しかも、熱交換の効率の低下を抑制できる。
【００６９】
また、把持部３７の凹部４７は、手前側から奥側に向かうにつれて上方に傾斜しているので、傾斜していない場合と比べて凹部４７の凹み寸法を大きくすることができる。しかも、凹部４７は上方に傾斜しているので、運搬時に指が引っかかりやすくなり、凹部４７から抜けにくくなる。これにより、作業者は、把持部３７をより安定して把持することができる。
【００７０】
また、室外機１１が、筐体１２の一方の側板２１及び背板１５に沿って平面視で略Ｌ字形状に屈曲した熱交換器６６を備えており、把持部３７の凹部４７は、熱交換器６６の前記屈曲した部分の湾曲形状に沿うように、凹部４７の一方の側部から他方の側部に向かうにつれて奥行きが増加している。このように熱交換器６６の湾曲形状に沿うように凹部４７の奥行きを増加させることにより、筐体１２の側板２１及び背板１５と熱交換器６６との隙間を有効利用できる。これにより、凹部４７の奥行きを大きくすることができるので、作業者は、把持部３７をより安定して把持することができる。
【００７１】
また、フランジ部３５に囲まれた領域に通風口５１を設けているので、この通風口５１を吸込口の一部として機能させることができる。したがって、室外機１１の運搬作業の完了後、室外機用取っ手３１を複数の吸込口のうちのいずれかに取り付けておく場合であっても、室外機用取っ手３１によって塞がれる吸込口の面積をより小さくすることができる。これにより、熱交換の効率の低下を抑制できる。しかも、通風口５１には補強用に複数の支柱５３が設けられているので、通風口５１を設けたことに起因する室外機用取っ手３１の強度低下を抑制することもできる。
【００７２】
係止部３４は、嵌合部３３の一部が切り欠かれて形成された撓み変形可能な撓み部３２ａと、この撓み部３２ａの先端に設けられ、吸込口２７の前記周縁部に係合可能な引掛部３２ｂとを有しているので、室外機用取っ手３１の嵌合部３３を吸込口２７に嵌め込む際に、室外機用取っ手３１を奥側に押し込むだけで撓み部３２ａが撓んで引掛部３２ｂを吸込口２７の周縁部に容易に係合させることができる。
【００７３】
また、本実施形態では、前記室外機用取っ手は、着脱部材８１をさらに備えている。したがって、前述のように、作業者が取っ手３１を把持して横方向に引く動作をする可能性がある流通段階においては、着脱部材８１を凹部４７に取り付けておくことにより、作業者が室外機１１を横方向に引っ張る動作を行うことを抑制できるので、この動作に起因する筐体１２の僅かな変形をも抑制できる。
【００７４】
また、本実施形態では、作業者が室外機１１を持ち上げて運搬する必要がある段階においては、作業者は、凹部４７に取り付けられた着脱部材８１を、摘み部８３を摘んで簡単に取り外すことができる。着脱部材８１が凹部４７から取り外されると、凹部４７は、室外機１１を持ち上げて運搬する際に必要な奥行きが再び確保されるので、作業者は、室外機１１を安定して運搬することができる。
【００７５】
以上、本発明の実施形態について説明したが、本発明は、上記各実施形態に限られるものではなく、その趣旨を逸脱しない範囲で種々変更、改良等が可能である。例えば、上記室外機用取っ手では、取っ手３１がＡ列の各側面吸込口２７に取り付け可能である場合を例に挙げて説明したが、例えば、Ｂ列の各側面吸込口２７や各背面吸込口２５にも取り付け可能であるような構成であってもよい。
【００７６】
また、前記室外機用取っ手では、背面吸込口２５及び側面吸込口２７が全て同じ形状である場合を例に挙げて説明したが、これに限定されない。取っ手３１の嵌合部３３は、側面吸込口２７の周縁部のうちの少なくとも上縁部２７ａ及び側縁部２７ｂ，２７ｃに対向する対向部を有し、嵌め込まれた側面吸込口２７に対する上方及び側方への相対移動を規制できればよいので、例えば嵌合部３３の下端部と側面吸込口２７の下縁部２７ｄとの間には隙間が設けられていてもよい。したがって、複数の吸込口は、互いに高さ方向の寸法が異なっていてもよい。
【００７７】
また、前記室外機用取っ手では、凹部４７が上方に傾斜している場合を例に挙げて説明したが、これに限定されず、凹部４７は水平方向に凹んでいてもよい。
【００７８】
また、前記室外機用取っ手では、係止部３２が切り欠きによって撓み変形可能に構成されている場合を例に挙げて説明したが、これに限定されない。係止部は、材料、厚みなどを調整することによって撓み変形可能に構成されていてもよく、他の手段によって撓み変形可能に構成されていてもよい。
【００７９】
また、前記室外機用取っ手では、吸込口２７の上縁部２７ａ及び下縁部２７ｄにそれぞれ係合する位置に係止部３２及び係止部３４を設けた場合を例に挙げて説明したが、係止部は、例えば吸込口２７の側縁部２７ｂや側縁部２７ｃに係合する位置に設けられていてもよい。
【００８０】
また、前記室外機用取っ手では、筐体１２内において熱交換器６６が一方の側板２１と背板（１５）に沿って配設されている場合を例示したが、本発明の室外機用取っ手３１は、熱交換器６６が背板と少なくとも一方の側板に沿って略Ｌ字形状に屈曲して配設されている室外機に適用可能であり、熱交換器が背板と両方の側板に沿って屈曲して配設されている室外機にも適用可能であることはもちろんである。
【００８１】
また、前記実施形態では、着脱部材８１がＬ字形状の板状部材からなる場合を例示したが、これに限定されない。着脱部材８１としては、取っ手３１の凹部４７の奥行きを小さくできるもの、又は凹部４７を塞ぐことができるものであれば、他の形態であってもよい。着脱部材８１としては、例えば凹部４７とほぼ同形状に成形されて凹部４７に嵌合可能な成形体や、凹部４７の形状に沿って変形可能なゴム状、繊維状などの詰め物などが挙げられる。
【符号の説明】
【００８２】
１１  室外機
１２  筐体
１３  前板
１５  背板
１７  天板
１９，２１  側板
２５  背面吸込口
２７  側面吸込口
３１，４１，４３  取っ手
３２  係止部
３２ａ  撓み部
３２ｂ  引掛部
３４  係止部
３３  嵌合部
３５  フランジ部
３７  把持部
４５  凸部
４７  凹部
５１  通風口
５３  支柱
８１  着脱部材
【図１】
0005565072.tif 000002
【図２】
0005565072.tif 000003
【図３】
0005565072.tif 000004
【図４】
0005565072.tif 000005
【図５】
0005565072.tif 000006
【図６】
0005565072.tif 000007
【図７】
0005565072.tif 000008
【図８】
0005565072.tif 000009
【図９】
0005565072.tif 000010
【図１０】
0005565072.tif 000011
【図１１】
0005565072.tif 000012
【図１２】
0005565072.tif 000013